(57)【要約】      （修正有）【課題】プラズマディスプレイパネルのリセット期間に動作するスイッチング回路の発熱問題を解決しかつ製造費用を節減する。【解決手段】スキャン駆動部は、セットアップ期間にスキャン電極にリセットパルスを供給するためのセットアップパルス供給部２１０を含む。セットアップ用スイッチＱｓは、タイミング信号によってターンオンされて飽和領域で動作する。これによりセットアップ電圧源Ｖｓｅｔｕｐとセットアップ用スイッチＱｓとは定電流源を構成し、定電流によって充放電されたセットアップ用キャパシターＣｓｅｔｕｐの両端電圧が所定の傾きをもってランプアップパルスを形成する。セットアップ用スイッチＱｓが飽和領域で動作するため、発熱を小さく抑えることができる。【選択図】図６
2005338842.tif 000002
【特許請求の範囲】
【請求項１】
プラズマディスプレイパネルと、
前記プラズマディスプレイパネルにセットアップ電圧源から定電流を形成して、前記定電流によって充放電されたセットアップ用キャパシターの両端電圧によって所定の傾きにセットアップ電圧まで上昇するセットアップパルスを供給するセットアップパルス供給部と、
を含むことを特徴とするプラズマディスプレイ装置。 
【請求項２】
前記セットアップ電圧源は、セットアップ用スィッチを含むことを特徴とする、請求項１記載のプラズマディスプレイ装置。 
【請求項３】
前記セットアップパルス供給部は、前記セットアップ用キャパシター両端の電圧傾きを制御する可変抵抗を含むことを特徴とする、請求項１記載のプラズマディスプレイ装置。
【請求項４】
前記可変抵抗は、前記セットアップ用キャパシターと前記セットアップ電圧源との間に接続されることを特徴とする、請求項３記載のプラズマディスプレイ装置。
【請求項５】
前記定電流は、飽和領域で作動するセットアップ用スィッチによって形成されることを特徴とする、請求項１記載のプラズマディスプレイ装置。
【請求項６】
プラズマディスプレイパネルと、 
前記プラズマディスプレイパネルにリセットパルスを供給するためにセットアップ電圧源で定電流を形成して前記定電流を充放電するセットアップ用キャパシターを含むセットアップパルス形成部と、
前記セットアップ用キャパシター両端の電圧によって所定の傾きにセットアップ電圧まで上昇するセットアップパルスを出力するセットアップパルス出力部と、
を含むことを特徴とするプラズマディスプレイ装置。 
【請求項７】
前記定電流は、飽和領域で作動するセットアップ用スィッチによって形成されることを特徴とする、請求項６記載のプラズマディスプレイ装置。
【請求項８】
前記セットアップ用スィッチは、前記セットアップ電圧源と繋がれることを特徴とする、請求項７記載のプラズマディスプレイ装置。
【請求項９】
前記セットアップパルス形成部は、前記セットアップ用キャパシター両端の電圧の傾きを制御する可変抵抗を含むことを特徴とする、請求項６記載のプラズマディスプレイ装置。
【請求項１０】
前記可変抵抗は、前記セットアップ用スィッチと前記セットアップ用キャパシターとの間に繋がれることを特徴とする、請求項９記載のプラズマディスプレイ装置。
【請求項１１】
前記セットアップパルス形成部は、前記セットアップ用キャパシターに充電された電荷を放電するタイミングスィッチをさらに含むことを特徴とする、請求項６記載のプラズマディスプレイ装置。
【請求項１２】
前記タイミングスィッチは、前記セットアップ用キャパシターと並列に繋がれることを特徴とする、請求項１１記載のプラズマディスプレイ装置。
【請求項１３】
前記セットアップパルス出力部は、第１動作スィッチと第２動作スィッチとを含み、
前記第１動作スィッチと前記第２動作スィッチとは前記セットアップキャパシター両端の電圧によってプッシュ-プル動作を遂行することを特徴とする、請求項６記載のプラズマディスプレイ装置。
【請求項１４】
前記タイミングスィッチの動作を制御するタイミング信号のパルス幅によって前記セットアップパルスのフラットパルス幅が調整されることを特徴とする、請求項１１記載のプラズマディスプレイ装置。
【発明の詳細な説明】
【技術分野】
【０００１】
本発明はプラズマディスプレイ装置に関する。
【背景技術】
【０００２】
一般的にプラズマディスプレイパネル(Ｐｌａｓｍａ  ＤｉＳｐｌａＹ  Ｐａｎｅｌ：以下"ＰＤＰ"だとする)は、Ｈｅ＋ＸｅまたはＮｅ＋Ｘｅ不活性混合ガスの放電の時発生する１４７ｎｍの紫外線によって蛍光体を発光させることで文字またはグラフィックを含んだ画像を表示する。 このようなＰＤＰは、薄膜化と大型化が容易いだけでなく、最近の技術開発に負って大きく向上した画質を提供する。特に、３電極交流面放電型ＰＤＰは、放電の時表面に壁電荷が蓄積されて放電によって発生されるスパッタリングから電極を保護するから低電圧駆動と長寿命の長所を持つ。 
【０００３】
図１は、従来３電極交流面放電型ＰＤＰの構造を示す斜視図である。図１を参照すれば、３電極交流面放電型ＰＤＰは、上部基板１０上に形成された走査/サステイン電極１１ａ及び共通サステイン電極１２ａと、下部基板２０上に形成されたアドレス電極２２とを備える。走査/サステイン電極１１ａと共通サステイン電極１２ａそれぞれは、透明電極、例えば、インジウムティンオキサイド(Ｉｎｄｉｕｍ−Ｔｉｎ−Ｏｘｉｄｅ：ＩＴＯ)により形成される。走査/サステイン電極１１ａと共通サステイン電極１２ａそれぞれには、抵抗を減らすための金属バス電極(１１ｂ、１２ｂ)が形成される。走査/サステイン電極１１ａと共通サステイン電極１２ａが形成された上部基板１０には、上部誘電体層１３ａと保護膜１４が積層される。上部誘電体層１３ａには、プラズマ放電の時発生された壁電荷が蓄積される。保護膜１４は、プラズマ放電の時発生されたスパッタリングによる上部誘電体層１３ａの損傷を防止すると共に２次電子の放出效率を高める。保護膜１４には通常酸化マグネシウム(ＭｇＯ)が利用される。 
【０００４】
一方、アドレス電極２２が形成された下部基板２０上には、下部誘電体層１３ｂ、隔壁２１が形成されて、下部誘電体層１３ｂと隔壁２１の表面には蛍光体層２３が塗布される。アドレス電極２２は、走査/サステイン電極１１ａ及び共通サステイン電極１２ａと交差される方向に形成される。隔壁２１は、アドレス電極２２並べに形成され、放電によって生成された紫外線及び可視光が接した放電セルに漏洩することを防止する。蛍光体層２３は、プラズマ放電の時発生された紫外線によって励起されて赤色、緑色または青色の中何れ一つの可視光線を発生するようになる。上/下部基板(１０、２０)と隔壁２１との間に用意された放電セルの放電空間には、放電のためのＨｅ＋ＸｅまたはＮｅ＋Ｘｅなどの不活性混合ガスが注入される。このような構造を持つ従来ＰＤＰの駆動方法をよく見れば図２のようである。
【０００５】
図２は、従来ＰＤＰの駆動方法を説明するために示す図である。図２を参照すれば、ＰＤＰは全画面を初期化させるための初期化期間、セルを選択するためのアドレス期間及び選択されたセルの放電を維持させるためのサステイン期間で分けられて駆動される。
【０００６】
初期化期間(リセット期間)においてすべてのスキャン電極(Ｙ)にはリセットパルスが印加されて、このようなリセットパルスはランプアップパルス(Ｒａｍｐ−ｕｐ)、フラットパルス(Ｆｌａｔ)及びランプダウンパルス(Ｒａｍｐ−ｄｏｗｎ)からなる。 
【０００７】
セットアップ期間(ＳＵ)には、すべてのスキャン電極(Ｙ)に上昇ランプ波形(Ｒａｍｐ−ｕｐ)が同時に印加される。この上昇ランプ波形によって全画面のセル内には放電が起きる。このセットアップ放電によってアドレス電極(Ｘ)とサステイン電極(Ｚ)上には正極性壁電荷が積もるようになって、スキャン電極(Ｙ)上には負極性の壁電荷が積もるようになる。 
【０００８】
セットダウン期間（ＳＤ）には上昇ランプ波形が供給された後、上昇ランプ波形のピーク電圧より低い正極性電圧から落ち始めて基底電圧(ＧＮＤ)または負極性の特定電圧レベルまで落ちる下降ランプ波形(Ｒａｍｐ−ｄｏｗｎ)が印加され、この下降ランプ波形により、セル内に微弱な消去放電を起こすことで、過度に形成された壁電荷を一部消去させるようになる。このセットダウン放電によってアドレス放電が安定するように起きることができるほどの壁電荷がセル内に均一に残留される。 
【０００９】
アドレス期間には、負極性スキャンパルス(Ｓｃａｎ)がスキャン電極(Ｙ)に順に印加されると共に、スキャンパルスに同期されてアドレス電極(Ｘ)に正極性のデータパルス(ｄａｔｅ)が印加される。このスキャンパルスとデータパルスとの電圧差と、初期化期間に生成された壁電圧とが加わりながら、データパルスが印加されるセル内にはアドレス放電が発生される。アドレス放電によって選択されたセル内には、サステイン電圧が印加される時放電が起きることができるようにする位の壁電荷が形成される。サステイン電極(Ｚ)にはセッダウン期間とアドレス期間との間においてスキャン電極(Ｙ)との電圧の差を減らしてスキャン電極(Ｙ)との誤放電が起きないように正極性直流電圧(Ｚｄｃ)が供給される。 
【００１０】
サステイン期間には、スキャン電極(Ｙ)とサステイン電極(Ｚ)に交互にサステインパルス(Ｓｕｓ)が印加される。アドレス放電によって選択されたセルは、セル内の壁電圧とサステインパルスとが加わりながら、毎サステインパルスが印加される時毎に、スキャン電極(Ｙ)とサステイン電極(Ｚ)の間にサステイン放電、すなわち、表示放電が起きるようになる。 
【００１１】
前記サステイン放電が完了する後には、パルス幅と電圧レベルが小さなランプ波形(Ｒａｍｐ−ｅｒｓ)が、サステイン電極(Ｚ)に供給されて、全画面のセル内に残っている壁電荷を消去させるようになる。 
【００１２】
このように駆動される従来ＰＤＰで所定の駆動波形を供給するためのスキャン駆動装置をよく見れば図３のようである。 
【００１３】
図３は、従来のＰＤＰのスキャン電極駆動装置を示す図である。図示されたのように、従来のＰＤＰのスキャン電極駆動装置は、サステインパルス供給部４０、ドライブ集積回路４８、セットアップ供給部４２、セッダウン供給部４４、負極性スキャン電圧供給部４６、スキャン基準電圧供給部５０と、セットアップ供給部４２とドライブ集積回路４８との間に接続される第７スィッチ(Ｑ７)とを備える。 
【００１４】
このような構造を持つ従来のＰＤＰのスキャン駆動装置は、リセット期間に上昇ランプ波形及び下降ランプ波形を生成するようになるが、この時、各スィッチの動作課程をよく見れば図４のようである。 
【００１５】
図４は、前記図３のリセット期間に上昇ランプ波形及び下降ランプ波形を生成するための従来のスキャン駆動装置において、スイチング動作過程を示すタイミング図である。リセット期間の間、セットアップ及びセッダウン電圧が生成される過程を説明する前に、図３で第２キャパシター(Ｃ２)にはセットアップ電圧源(Ｖｓｔ)の電圧が充電されていると仮定する。そしてセットアップスィッチである第５スィッチ(Ｑ５)のターンオンの時点で、サステインパルス供給部４０から第１ノード点(ｎ１)でサステイン電圧(Ｖｓ)が供給されると仮定する。 
【００１６】
図４を参照すれば、先ずセットアップ期間の間、第５スィッチ(Ｑ５)及び第７スィッチ(Ｑ７)がターンオンされる。この時、サステインパルス供給部４０からサステイン電圧(Ｖｓ)が供給される。サステインパルス供給部４０から供給されたサステイン電圧(Ｖｓ)は、第６スィッチ(Ｑ６)の内部ダイオード、第７スィッチ(Ｑ７)及びドライブ集積回路４８を経由してスキャン電極ライン(Ｙ１乃至Ｙｍ)に供給される。よって、スキャン電極ライン(Ｙ１乃至Ｙｍ)の電圧はＶｓに急激に上昇される。 
【００１７】
この時、第２キャパシター(Ｃ２)の負極性端子でＶｓの電圧が供給されるから、第２キャパシター(Ｃ２)はＶｓ+Ｖｓｔの電圧を第５スィッチ(Ｑ５)に供給する。第５スィッチ(Ｑ５)は、自身の前端に設置された第１可変抵抗(ＶＲ１)によってチャンネル幅が調節されながら、第２キャパシター(Ｃ２)から供給される電圧を所定傾きを持って第１ノード点(n１)に供給する。第１ノード点(n１)に所定傾きを持って印加される電圧は、第７スィッチ(Ｑ７)及びドライブ集積回路４８を経由してスキャン電極ライン(Ｙ１乃至Ｙｍ)に供給される。したがって、スキャン電極ライン(Ｙ１乃至Ｙｍ)に上昇ランプ波形(Ｒａｍｐ−ｕｐ)が供給される。 
【００１８】
スキャン電極ライン(Ｙ１乃至Ｙｍ)に上昇ランプ波形(Ｒａｍｐ−ｕｐ)が供給された後、第５スィッチ(Ｑ５)はターンオフされる。第５スィッチ(Ｑ５)がターンオフされれば、サステインパルス供給部４０から供給されるＶｓの電圧だけが第１ノード点(ｎ１)に印加されて、これに従ってスキャン電極ライン(Ｙ１乃至Ｙｍ)の電圧はＶｓに急激に下降する。 
【００１９】
以後、セッダウン期間に第７スィッチ(Ｑ７)がターンオフされると共に、第１０スィッチ(Ｑ１０)がターンオンされる。第１０スィッチ(Ｑ１０)は、自身の前端に設置された第２可変抵抗(ＶＲ２)によってチャンネル幅が調節されながら、第２ノード(ｎ２)の電圧を書き込みスキャン電圧(−Ｖｗ)(またはセッダウン電圧源)に所定の傾きをもって下降させる。この時、スキャン電極ライン(Ｙ１乃至Ｙｍ)に下降ランプ波形(Ｒａｍｐ−ｄｏｗｎ)が供給される。 
【００２０】
セットアップ供給部４２及びセッダウン供給部４４は、このような過程を繰り返しながらリセット期間の間スキャン電極ライン(Ｙ１乃至Ｙｍ)に上昇ランプ波形(Ｒａｍｐ−ｕｐ)及び下降ランプ波形(Ｒａｍｐ−ｄｏｗｎ)を供給する。 
【００２１】
一方、前記上昇ランプ波形(Ｒａｍｐ−ｕｐ)を供給するために長時間の間セットアップスィッチである第５スィッチＱ５には徐々にＶｓ+Ｖｓｔの高い電圧が供給されることによって、抵抗による熱が発生するようになる。このような発熱原因は、前記第５スィッチＱ５がランプ波形で電流が上昇するアクティブ(ａｃｔｉｖｅ)領域で動作される事によって現われるようになる。 
【００２２】
したがって、従来には、このような発熱問題を解決するために耐電圧特性が高い高価のスイチング素子を使ったが、これはプラズマディスプレイパネルを製造するのにあって製造費用を上昇させる問題点で引き起こした。 
【００２３】
また、第５スィッチの発熱問題でランプアップパルスの傾きが意図しなく変わったり、ランプアップパルスの特性が変わる問題点が発生する。 
【発明の開示】
【発明が解決しようとする課題】
【００２４】
本発明の目的は、プラズマディスプレイパネルのリセット期間の間に動作されるスイチング素子の回路構造を異にして、発熱問題を解決し及び製造費用を節減することができるプラズマディスプレイ装置を提供するのである。 
【課題を解決するための手段】
【００２５】
本発明の第１実施例によるプラズマディスプレイ装置は、プラズマディスプレイパネルと、前記プラズマディスプレイパネルにセットアップ電圧源から定電流を供給して、前記定電流によって充放電されたセットアップ用キャパシターの両端電圧によって所定の傾きでセットアップ電圧まで上昇するセットアップパルスを供給するセットアップパルス供給部と、を含む。
【００２６】
本発明の第２実施例によるプラズマディスプレイ装置は、プラズマディスプレイパネルと、前記プラズマディスプレイパネルにリセットパルスを供給するためにセットアップ電圧源で定電流を形成して前記定電流を充放電するセットアップ用キャパシターを含むセットアップパルス形成部と前記セットアップ用キャパシター両端の電圧によって所定の傾きにセットアップ電圧まで上昇するセットアップパルスを出力するセットアップパルス出力部と、を含む。
【００２７】
前記セットアップ電圧源は、セットアップ用スィッチを含むことを特徴とする。
【００２８】
前記セットアップパルス供給部は、前記セットアップ用キャパシター両端の電圧傾きを制御する可変抵抗を含むことを特徴とする。
【００２９】
前記可変抵抗は、前記セットアップ用キャパシターと前記セットアップ電圧源との間に接続されることを特徴とする。
【００３０】
前記定電流は、飽和領域で作動するセットアップ用スィッチによって形成されることを特徴とする。
【発明の効果】
【００３１】
このような本発明は、プラズマディスプレイパネルに供給される上昇ランプ波形によるスイチング素子の発熱問題を解決して、同時に低価格のスィッチ使用により製造原価を節減することができる。 
【発明を実施するための最良の形態】
【００３２】
以下、本発明によるプラズマディスプレイ装置の第１実施例を添付した図面を参照して詳細に説明する。
【００３３】
図５は、本発明の第１実施例によるプラズマディスプレイ装置を概略的に示す図である。 
【００３４】
図５に示すように、本発明の第１実施例によるプラズマディスプレイ装置は、上部基板及び下部基板（図示せず）を含むプラズマディスプレイパネル１００と、プラズマディスプレイパネル１００の下部基板(未図示)に形成されたアドレス電極(Ｘ１乃至Ｘｍ)にデータを供給するためのデータ駆動部１２２と、上部基板に形成されたスキャン電極(Ｙ１乃至Ｙn)を駆動するためのスキャン駆動部１２３と、上部基板に形成され、共通電極であるサステイン電極(Ｚ)を駆動するためのサステイン駆動部１２４と、プラズマディスプレイパネル駆動の時、データ駆動部１２２、スキャン駆動部１２３、サステイン駆動部１２４を制御するためのタイミングコントロール部１２１と、それぞれの駆動部(１２２、１２３、１２４)に必要な駆動電圧を供給するための駆動電圧発生部１２５と、を含む。
【００３５】
プラズマディスプレイパネル１００は、上部基板(未図示)と下部基板(未図示)とが一定な間隔を置いて合着されている。上部基板には、複数の電極、例えば、スキャン電極(Ｙ１乃至Ｙｎ)及びサステイン電極(Ｚ)が対を成して形成されている。下部基板には、スキャン電極(Ｙ１乃至Ｙｎ)及びサステイン電極(Ｚ)と交差されるようにアドレス電極(Ｘ１乃至Ｘｍ)が形成されている。 
【００３６】
データ駆動部１２２には示しない逆ガンマ補正回路、誤差拡散回路等によって逆ガンマ補正及び誤差拡散された後、サブフィールドマッピング回路によって各サブフィールドにマッピングされたデータが供給される。このようなデータ駆動部１２２は、タイミングコントロール部１２１からのタイミング制御信号(ＣＴＲＸ)に応答してデータをサンプリングしてラッチした後、そのデータをアドレス電極(Ｘ１乃至Ｘｍ)に供給するようになる。
【００３７】
スキャン駆動部１２３は、タイミングコントロール部１２１の制御の下にリセット期間の間、上昇ランプ波形(Ｒａｍｐ−ｕｐ)と下降ランプ波形(Ｒａｍｐ−ｄｏｗｎ)とをスキャン電極(Ｙ１乃至Ｙｎ)に供給する。また、スキャン駆動部１２３は、タイミングコントローラ１２１の制御の下に、アドレス期間の間、スキャン電圧(−Ｖｙ)のスキャンパルス(Ｓｐ)をスキャン電極(Ｙ１乃至Ｙn)に順次に供給して、サステイン期間の間には、内部に備えたエネルギー回収回路部によって発生されたサステインパルス(ｓｕｓ)をスキャン電極に供給する。
【００３８】
サステイン駆動部１２４は、タイミングコントロール部１２１の制御の下に下降ランプ波形(Ｒａｍｐ−ｄｏｗｎ)が発生される期間とアドレス期間とに、サステイン電圧(Ｖｓ)のバイアス電圧をサステイン電極(Ｚ)で供給して、サステイン期間の間、内部に備えたサステイン駆動回路が、スキャン駆動部１２３に備えたサステイン駆動回路と交互に動作して、サステインパルス(ｓｕｓ)をサステイン電極(Ｚ)に供給するようになる。 
【００３９】
タイミングコントロール部１２１は、垂直/水平同期信号とクロック信号との入力を受けて、リセット期間、アドレス期間、サステイン期間に各駆動部(１２２、１２３、１２４)の動作タイミングと同期化とを制御するためのタイミング制御信号(ＣＴＲＸ、 ＣＴＲＹ、 ＣＴＲＺ)を発生して、そのタイミング制御信号(ＣＴＲＸ、 ＣＴＲＹ、 ＣＴＲＺ)を該当の駆動部(１２２、１２３、１２４)に供給することで、各駆動部(１２２、１２３、１２４)を制御する。
【００４０】
一方、データ制御信号(ＣＴＲＸ)には、データをサンプリングするためのサンプリングクロック、ラッチ制御信号、サステイン駆動回路と駆動スィッチ素子のオン／オフタイムを制御するためのスィッチ制御信号が含まれる。スキャン制御信号(ＣＴＲＹ)には、スキャン駆動部１２３内のサステイン駆動回路と駆動スィッチ素子のオン／オフタイムを制御するためのスィッチ制御信号を含む。サステイン制御信号(ＣＴＲＺ)には、サステイン駆動部１２４内のサステイン駆動回路と駆動スィッチ素子のオン／オフタイムを制御するためのスィッチ制御信号が含まれる。
【００４１】
駆動電圧発生部１２５は、セットアップ電圧(Ｖｓｅｔｕｐ)、スキャン共通電圧(Ｖｓｃａｎ−ｃｏｍ)、スキャン電圧(−Ｖｙ)、サステイン電圧(Ｖｓ)、データ電圧(Ｖｄ)などを発生する。このような駆動電圧は、放電ガスの組成や放電セル構造によって変わることができる。 
【００４２】
このような構造を持つ本発明の第１実施例によるプラズマディスプレイ装置は、リセット期間、アドレス期間及びサステイン期間に、アドレス電極、スキャン電極及びサステイン電極に駆動パルスが印加される少なくとも一つ以上のサブフィールドの組合によってフレームからなる画像を具現する。
【００４３】
一方、本発明の第１実施例によるプラズマディスプレイ装置駆動の時、リセット期間に動作されるスキャン駆動部１２３の回路構成を図６に示す。
【００４４】
図６は、本発明の第１実施例によるプラズマディスプレイ装置のスキャン駆動部の回路図である。図６を参照すれば、本発明の第１実施例によるプラズマディスプレイ装置のスキャン駆動部は、セットアップ期間(ＳＵ)にスキャン電極にリセットパルスを供給するためにセットアップパルス供給部２１０を含む。
【００４５】
セットアップパルス供給部２１０は、セットアップ用スィッチ(Ｑｓ)、可変抵抗(Ｒｖ)、セットアップ用キャパシター(Ｃｓｅｔｕｐ)を含む。 
【００４６】
セットアップ用スィッチ(Ｑｓ)のドレーン端は、セットアップ電圧源(Ｖｓｅｔｕｐ)と繋がれる。可変抵抗(Ｒｖ)の一方端は、セットアップ用スィッチ(Ｑｓ)のソース端と繋がれる。セットアップ用キャパシター(Ｃｓｅｔｕｐ)の一方端は、可変抵抗(Ｒｖ)の他方端と繋がれる。 
【００４７】
セットアップ用スィッチ(Ｑｓ)は、タイミング信号によってターンオンされて飽和(Ｓａｔｕｒａｔｉｏｎ)領域で動作する。これにより、セットアップ電圧源(Ｖｓｅｔｕｐ)とセットアップ用スィッチ(Ｑｓ)とは定電流源を構成するよって、セットアップ用スィッチ(Ｑｓ)で発生する熱は、アクティブ領域で作動する従来のセットアップスィッチ(Ｑ５)に比べて非常に小さい。このようにセットアップ用スィッチ(Ｑｓ)で発生する熱が小さいので、ランプアップパルスの傾きが意図しなく変ったり、ランプアップパルスの特性が変わる問題点を解決することができる。 
【００４８】
ランプアップパルスの傾きは可変抵抗(Ｒｖ)とセットアップ用キャパシター(Ｃｓｅｔｕｐ)によって形成される。すなわち、セットアップ電圧源(Ｖｓｅｔｕｐ)と、飽和領域で作動するセットアップ用スィッチ(Ｑｓ)とによって、定電流が、可変抵抗(Ｒｖ)を通じてセットアップ用キャパシター(Ｃｓｅｔｕｐ)で流れながら、セットアップ用キャパシター(Ｃｓｅｔｕｐ)を充電する。
【００４９】
このようにセットアップ用キャパシター(Ｃｓｅｔｕｐ)が充電されると、セットアップ用キャパシター(Ｃｓｅｔｕｐ)両端の電圧は、所定の傾きをもって、サステイン電圧Ｖｓ＋セットアップ電圧(Ｖｓｅｔｕｐ)まで上昇するランプアップパルスを形成してスキャン電極に印加される。
【００５０】
この時、可変抵抗(Ｒｖ)の大きさが変われば、可変抵抗(Ｒｖ)とセットアップ用キャパシター(Ｃｓｅｔｕｐ)の時定数が変わって、セットアップ用キャパシター(Ｃｓｅｔｕｐ)に電荷が充電される速度が変わるので、ランプアップパルスの傾きを調節することができる。
【００５１】
先ずセットアップ期間の間、第３スイッチ（Ｑ３）、セットアップ用スイッチ（Ｑｓ）及び第７スィッチ(Ｑ７)がターンオンされる。この時、サステインパルス供給部４０から、第６スイッチ（Ｑ６）の内部ダイオード、第７スイッチ（Ｑ７）及びドライブ集積回路４８を介して、スキャン電極ライン(Ｙ１乃至Ｙｍ)にサステイン電圧(Ｖｓ)が供給される。よって、スキャン電極ライン(Ｙ１乃至Ｙｍ)の電圧はＶｓに急激に上昇される。この時、セットアップ用キャパシター(Ｃｓｅｔｕｐ)の負極性端子にはＶｓの電圧が供給され、正極性端子には、セットアップ用スィッチ(Ｑｓ)、可変抵抗Ｒｖを介して、セットアップ電圧源(Ｖｓｅｔｕｐ)の電圧が供給される。従って、セットアップ用キャパシター(Ｃｓｅｔｕｐ)の正極性端子は、サステイン電圧Ｖｓに急上昇した後、サステイン電圧Ｖｓから可変抵抗Ｒｖで決まる傾きでＶｓ＋Ｖｓｅｔｕｐまで上昇するランプアップパルスが供給される。このランプアップパルスは、ノードｎ１、第７スィッチ(Ｑ７)及びドライブ集積回路４８を介して、スキャン電極ライン(Ｙ１乃至Ｙｍ)に供給される。この結果、スキャン電極ライン(Ｙ１乃至Ｙｍ)に上昇ランプ波形(Ｒａｍｐ−ｕｐ)が供給される。
セッダウン期間(ＳＤ)では、スキャン電極の電位がセットアップ電圧(Ｖｓｅｔｕｐ)から下降しなければならないので、第２スィッチ(Ｑ２)がターンオンしてセットアップ用キャパシター(Ｃｓｅｔｕｐ)の放電になる。 
【００５２】
以上で見るように、本発明の第１実施例によるプラズマディスプレイ装置は、セットアップパルス供給部２１０に形成されたセットアップ用スィッチ(Ｑｓ)が、従来のセットアップ期間の間のアクティブ(ａｃｔｉｖｅ)領域ではない飽和(Ｓａｔｕｒａｔｉｏｎ)領域で動作されることで発生する発熱が起きない。これに従って、等しい電圧下で低い電流用のセットアップスイチング素子を使うことが可能になって製造費用を節減させる 。言い換えれば、従来のセットアップパルス供給部２１０では、第５スイッチＱ５の線形領域を用いてスイッチングさせていたため、スイッチでの消費電力が大きく発熱の問題があったが、一方、第１実施形態では、セットアップ用スィッチ(Ｑｓ)を遮断領域と飽和領域とでスイッチングさせるＤ級動作によりスイッチングさせるため、スイッチＱｓでの消費電力を大幅に低減できる。
【００５３】
<第２実施例>
【００５４】
本発明の第２実施例によるプラズマディスプレイ装置は、プラズマディスプレイパネル１００と前記プラズマディスプレイパネルにリセットパルスを供給するためにセットアップ電圧源で定電流を形成して前記定電流を充放電するセットアップ用キャパシターとを含むセットアップパルス形成部と、前記セットアップ用キャパシター両端の電圧によって所定の傾きでセットアップ電圧まで上昇するセットアップパルスを出力するセットアップパルス出力部を含む。
【００５５】
前記定電流は、飽和領域で作動するセットアップ用スィッチによって形成されることを特徴とする。
【００５６】
前記セットアップ用スィッチは、前記セットアップ電圧源と繋がれることを特徴とする。
【００５７】
前記セットアップパルス形成部は、前記セットアップ用キャパシター両端の電圧傾きを制御する可変抵抗を含むことを特徴とする。
【００５８】
前記可変抵抗は、前記セットアップ用スィッチと前記セットアップ用キャパシターとの間に繋がれることを特徴とする。
【００５９】
前記セットアップパルス形成部は、前記セットアップ用キャパシターに充電された電荷を放電するタイミングスィッチをさらに含むことを特徴とする。
【００６０】
前記タイミングスィッチは、前記セットアップ用キャパシターと並列で繋がれることを特徴とする。
【００６１】
前記セットアップパルス出力部は、第１動作スィッチと第２動作スィッチとを含み、前記第１動作スィッチと前記第２動作スィッチとは前記セットアップキャパシター両端の電圧によってプッシュ-プル動作を遂行することを特徴とする。
【００６２】
前記タイミングスィッチの動作を制御するタイミング信号のパルス幅によって前記セットアップパルスのフラットパルス幅が調整されることを特徴とする。
【００６３】
以下、本発明によるプラズマディスプレイ装置の第２実施例を添付した図面を参照して詳細に説明する。
【００６４】
図７は、本発明の第２実施例によるプラズマディスプレイ装置のスキャン駆動部１２３の回路図である。図７を参照する前に、本発明の第２実施例によるプラズマディスプレイ装置は、スキャン駆動部１２３の駆動回路以外の構成は前述の構成と同様であるので、これに対する説明は略する事にする。  
【００６５】
図示したのように、本発明の第２実施例によるプラズマディスプレイ装置のスキャン駆動部１２３は、セットアップ期間(ＳＵ)に、スキャン電極にセットアップパルスを供給するために、セットアップパルス形成部３１０と、セットアップパルス出力部３２０と、を含む。 
【００６６】
セットアップパルス形成部３１０は、セットアップ用スィッチ(Ｑｓ)、可変抵抗(Ｒｖ)、セットアップ用キャパシター(Ｃｓｅｔｕｐ)及びタイミングスィッチ(Ｑｔ)を含む。 
【００６７】
セットアップ用スィッチ(Ｑｓ)のドレーン端は、セットアップ電圧源(Ｖｓｅｔｕｐ)と繋がれる。可変抵抗(Ｒｖ)の一方端は、セットアップ用スィッチ(Ｑｓ)のソース端と繋がれる。セットアップ用キャパシター(Ｃｓｅｔｕｐ)の一方端は、可変抵抗(Ｒｖ)の他方端と繋がれる。タイミングスィッチ(Ｑｔ)のドレーン端は、セットアップ用キャパシター(Ｃｓｅｔｕｐ)の一方端と繋がれて、タイミングスィッチ(Ｑｔ)のソース端はセットアップ用キャパシター(Ｃｓｅｔｕｐ)の他方端と繋がれる。
【００６８】
セットアップパルス出力部３２０は、第１動作スィッチ(Ｑｆｉｒｓｔ)と第２動作スィッチ(Ｑｓｅｃｏｎｄ)とを含む。 
【００６９】
第１動作スィッチ(Ｑｆｉｒｓｔ)のドレーン端は、セットアップ電圧源(Ｖｓｅｔｕｐ)と繋がれる。第２動作スィッチ(Ｑｓｅｃｏｎｄ)のドレーン端は、第１動作スィッチ(Ｑｆｉｒｓｔ)のソース端と繋がれる。第１動作スィッチ(Ｑｆｉｒｓｔ)と第２動作スィッチ(Ｑｓｅｃｏｎｄ)それぞれのゲート端は、互いに接続されて居ると共に、セットアップ用キャパシター(Ｃｓｅｔｕｐ)の一方端と繋がれる。 
【００７０】
従来のセットアップスィッチ(Ｑ５)は、アクティブ領域で作動するように設定されているが、本発明に含まれたセットアップ用スィッチ(Ｑｓ)は、飽和領域で作動するように設定されている。 
【００７１】
本発明のセットアップ用スィッチ(Ｑｓ)は、飽和領域で作動するから、セットアップ電圧源(Ｖｓｅｔｕｐ)とセットアップ用スィッチ(Ｑｓ)とは定電流源を構成する。したがって、セットアップ用スィッチ(Ｑｓ)で発生する熱は、アクティブ領域で作動する従来のセットアップスィッチ(Ｑ５)に比べて非常に小さい。このようにセットアップ用スィッチ(Ｑｓ)で発生する熱が小さいので、ランプアップパルスの傾きが意図しなく変わったり、ランプアップパルスの特性が変わる問題点を解決することができる。 
【００７２】
ランプアップパルスの傾きは、可変抵抗(Ｒｖ)とセットアップ用キャパシター(Ｃｓｅｔｕｐ)とによって形成される。すなわち、セットアップ電圧源(Ｖｓｅｔｕｐ)と、飽和領域で作動するセットアップ用スィッチ(Ｑｓ)とによって、定電流が可変抵抗(Ｒｖ)を通じてセットアップ用キャパシター(Ｃｓｅｔｕｐ)に流れながら、セットアップ用キャパシター(Ｃｓｅｔｕｐ)が充電される。
【００７３】
このようにセットアップ用キャパシター(Ｃｓｅｔｕｐ)が充電されると、セットアップ用キャパシター(Ｃｓｅｔｕｐ)両端の電圧は、所定の傾きをもって上昇する。セットアップ用キャパシター(Ｃｓｅｔｕｐ)両端の電圧が所定の傾きで上昇するによって、第１動作スィッチ(Ｑｆｉｒｓｔ)が徐々にターンオンされて、所定の傾きでセットアップ電圧(Ｖｓｅｔｕｐ)まで上昇するランプアップパルスをスキャン電極に印加する。  
【００７４】
この時、可変抵抗(Ｒｖ)の大きさが変わると、可変抵抗(Ｒｖ)とセットアップ用キャパシター(Ｃｓｅｔｕｐ)の時定数が変わって、セットアップ用キャパシター(Ｃｓｅｔｕｐ)に充電される速度が変わるのでランプアップパルスの傾きを調節することができる。
【００７５】
セッダウン期間(ＳＤ)では、スキャン電極の電位がセットアップ電圧(Ｖｓｅｔｕｐ)から下降しなければならないので、タイミングスィッチ(Ｑｔ)と第２スィッチ(Ｑ２)がターンオンして、セットアップ用キャパシター(Ｃｓｅｔｕｐ)の放電が成り立つ。この時、タイミングスィッチ(Ｑｔ)のターンオンとターンオフを制御するタイミング信号のパルス幅によって、従来図２のフラットパルス(Ｆｌａｔ)の幅が決まる。 
【００７６】
すなわち、スキャン電極がＶｓｅｔｕｐに到達してからタイミングスィッチ(Ｑｔ)がターンオンするまでの時間が長ければ（タイミングスィッチ(Ｑｔ)のターンオフ時間が長くなれば）、セットアップ用キャパシター(Ｃｓｅｔｕｐ)両端の電圧は所定の傾きでＶｓｅｔｕｐまで増加して、その時点で一定な電圧を維持する。
【００７７】
したがって、第１動作スィッチ(Ｑｆｉｒｓｔ)のターンオンによってスキャン電極の電圧は所定の傾きでセットアップ電圧(Ｖｓｅｔｕｐ)まで上昇した後、セットアップ電圧(Ｖｓｅｔｕｐ)を一定時間維持する。以後、タイミングスィッチ(Ｑｔ)がターンオンすれば、セットアップ用キャパシター(Ｃｓｅｔｕｐ)の放電が起きるのでフラットパルスが終る。 
【００７８】
タイミングスィッチ(Ｑｔ)のターンオフ時間によってフラットパルス(Ｆｌａｔ)の幅が決まるので、タイミングスィッチ(Ｑｔ)のターンオフ時間を決めるタイミング信号のパルス幅によってフラットパルス(Ｆｌａｔ)の幅が決まる。 
【００７９】
このようにランプアップパルスの傾きとフラットパルスの幅とを調節することができることで、放電特性を極大化することができる。 
【００８０】
リセットパルスを出力する第１動作スィッチ(Ｑｆｉｒｓｔ)と第２動作スィッチ(Ｑ２)とはプッシュ-プル(ｐｕｓｈ−ｐｕｌｌ)回路を形成する。このようにプッシュ-プル回路を形成する第１動作スィッチ(Ｑｆｉｒｓｔ)と第２動作スィッチ(Ｑ２)は、サステインパルス供給部４０によって出力される高周波故電圧のサステインパルスがリセットパルスに影響を与えることを阻む。 
【００８１】
すなわち、第１動作スィッチ(Ｑｆｉｒｓｔ)と第２動作スィッチ(Ｑ２)とからなるプッシュ-プル回路は入力インピーダンスが高く且つ出力インピーダンスが低いので、サステイン供給部４０と電気的に隔離されて、高周波高電圧のサステインパルスの影響を抑制する。
【図面の簡単な説明】
【００８２】
【図１】従来３電極交流面放電型ＰＤＰの構造を示す斜視図。
【図２】従来ＰＤＰの駆動方法を説明するために示す図。
【図３】従来ＰＤＰのスキャン電極駆動装置を示す図。
【図４】図３のリセット期間に上昇ランプ波形及び下降ランプ波形を生成するための従来のスキャン駆動装置においてスイチング動作過程を示すタイミング図。
【図５】本発明の第１実施例によるプラズマディスプレイ装置を概略的に示す図。
【図６】本発明の第１実施例によるプラズマディスプレイ装置のスキャン駆動部の回路図であり、
【図７】本発明の第２実施例によるプラズマディスプレイ装置のスキャン駆動部の回路図である。
【図１】
2005338842.tif 000003
【図２】
2005338842.tif 000004
【図３】
2005338842.tif 000005
【図４】
2005338842.tif 000006
【図５】
2005338842.tif 000007
【図６】
2005338842.tif 000008
【図７】
2005338842.tif 000009